(57)【要約】【課題】押圧突起の動きを改善して、圧迫法、強擦法、揉捏法、軽擦法、打突法等によるマッサージ効果を十分に得ることができるマッサージブラシを提供する。【解決手段】曲面状に湾曲する基板１２と、基板１２の凹面状の内側面から下方に突出する複数の押圧突起１３と、基板１２の凸面状の外側面の中央部分に接続される把持部２０とを備えるマッサージブラシ１０であって、基板１２には、これの中央部分から放射方向外側に向けて延設する舌状片１４が、中央部分側の基端部１５を除く周囲にＵ字状の貫通溝１６が設けられることにより基端部１５から片持ち梁状に張り出した状態で、周方向に間隔をおいて複数設けられており、押圧突起１３は、舌状片１４の先端部分から下方に突出して各々設けられている。また基板１２の中央部分に中央部押圧突起１７が設けられており、隣接する押圧突起１３の中間部分に補助押圧突起が設けられている。【選択図】図１
2011083593.tif 000002
【特許請求の範囲】
【請求項１】
基板と、該基板の内側面から下方に突出する複数の押圧突起と、前記基板の外側面の中央部分に接続される把持部とを備えており、
前記基板には、該基板の中央部分から外側に向けて延設する舌状片が、前記中央部分側の基端部を除く周囲に貫通溝が設けられることにより前記基端部から片持ち梁状に張り出した状態で、周方向に間隔をおいて複数設けられており、
前記押圧突起は、前記舌状片の先端部分から下方に突出して各々設けられているマッサージブラシ。
【請求項２】
前記基板の中央部分の内側面に、下方に突出する中央部押圧突起が設けられている請求項１記載のマッサージブラシ。
【請求項３】
前記基板の内側面に、周方向に隣接する前記押圧突起の間に下方に突出する補助押圧突起が設けられている請求項１又は２記載のマッサージブラシ。
【請求項４】
前記基板が曲面状に湾曲し、該基板の前記内側面が凹面状であり、該基板の平面視形状が円板状であり、該基板の前記外側面が凸面状であり、前記舌状片が前記基板の中央部分から放射方向外側に向けて延設している請求項１〜３の何れかに記載のマッサージブラシ。
【請求項５】
基板と、該基板の内側面から下方に突出する複数の押圧突起とを含む、弾性力を備える合成樹脂材料からなるブラシ本体部に一体接合されてマッサージブラシを形成するマッサージブラシ用ハンドルであって、
円筒体の周面全周がくびれ部となっている略鼓形状を有する接合ドラム部と、該接合ドラム部の上部つば部から径方向外側に張り出して一方向に延設する把持部とが一体成形された形状を有しているマッサージブラシ用ハンドル。
【請求項６】
前記くびれ部は、人の指の周面に沿った湾曲形状を有しており、前記把持部は、１８〜４０ｍｍの幅、及び８０〜１４０ｍｍの長さで前記上部つば部から延設している請求項５記載のマッサージブラシ用ハンドル。
【請求項７】
前記接合ドラム部には、下部つば部の中心部分に開口する嵌合穴が設けられており、該嵌合穴に前記ブラシ本体部の基板の中央部分から立設させた嵌合突起を嵌め込むことで、前記ブラシ本体部に一体接合される請求項５又は６記載のマッサージブラシ用ハンドル。
【請求項８】
前記把持部の上面は、延設方向においては曲率半径が１５０〜１０００ｍｍの湾曲凸面となっており、延設方向と直角な横断方向においては曲率半径が２０〜７０ｍｍの湾曲凸面となっている請求項５〜７の何れかに記載のマッサージブラシ用ハンドル。
【発明の詳細な説明】
【技術分野】
【０００１】
本発明は、マッサージブラシ及びマッサージブラシ用ハンドルに関する。
【背景技術】
【０００２】
身体の四肢やその他の部位に対するマッサージ方法として、一般に圧迫法（身体を押すマッサージ方法）、強擦法（身体を擦るマッサージ方法）、揉捏法（身体を揉むマッサージ方法）、軽擦法（身体を撫でるマッサージ方法）、打突法（身体を叩くマッサージ方法）等が知られており、これらは、例えば身体の皮膚に指を押し当てて、圧迫したり、擦り付けたり、回転力を加えて揉み解したりすることで、例えば血液の流れを促進して、疲労の回復や予防を図るものである。
【０００３】
このようなマッサージを行う器具として、各種の電動式のマッサージ器や、足踏み式のマッサージ具等が開発されているが、圧迫法、強擦法、揉捏法、軽擦法、打突法等による指を模したマッサージを手軽に行うことができるようなコンパクトな器具の開発が望まれている。
【０００４】
一方、整髪や洗髪を行う際に、これらの整髪や洗髪と同時に頭部へのマッサージ効果を得ることが可能なヘアブラシが知られている（例えば、特許文献１参照）。特許文献１のヘアブラシは、把持片を備える曲面状に湾曲する扁平な椀状の基板の下面に、多数のブラシ突起を突設させたものである。特許文献１のヘアブラシは、これを例えばエラストマーや合成ゴム等の柔軟な素材で作成した場合には、頭部への押圧と押圧の解除を繰り返すことにより、特に基板の弾性変形によって、ブラシ突起によるマッサージ効果を高めることが可能になる。
【先行技術文献】
【特許文献】
【０００５】
【特許文献１】実開昭５５−２７４２２号公報
【発明の概要】
【発明が解決しようとする課題】
【０００６】
しかしながら、特許文献１のヘアブラシでは、ブラシ突起が基板に一体として固着されており、基板に対するブラシ突起の相対的な変形が制限されるため、ブラシ突起による頭皮へのマッサージ効果は、基板の弾性変形量に依存することになって、圧迫法、強擦法、揉捏法、軽擦法、打突法等によるマッサージ効果を十分に得ることは困難である。
【０００７】
また、特許文献１のヘアブラシでは、把持片が小さいため、マッサージ効果を得るための操作を行い難いばかりか、特に頭頂部や後頭部のマッサージを行う際には腕を大きく上げて操作する必要がある。
【０００８】
本発明は、押圧突起の動きを改善して、圧迫法、強擦法、揉捏法、軽擦法、打突法等によるマッサージ効果を十分に得ることができるマッサージブラシを提供することを目的とする。
【０００９】
また、本発明は、マッサージ効果を得るための種々の操作を安定した状態で行うことのできるマッサージブラシ用ハンドルを提供することを目的とする。
【課題を解決するための手段】
【００１０】
本発明は、基板と、該基板の内側面から下方に突出する複数の押圧突起と、前記基板の外側面の中央部分に接続される把持部とを備えており、前記基板には、該基板の中央部分から外側に向けて延設する舌状片が、前記中央部分側の基端部を除く周囲に貫通溝が設けられることにより前記基端部から片持ち梁状に張り出した状態で、周方向に間隔をおいて複数設けられており、前記押圧突起は、前記舌状片の先端部分から下方に突出して各々設けられているマッサージブラシを提供することにより、上記目的を達成したものである。
【００１１】
また、本発明は、基板と、該基板の内側面から下方に突出する複数の押圧突起とを含む、弾性力を備える合成樹脂材料からなるブラシ本体部に一体接合されてマッサージブラシを形成するマッサージブラシ用ハンドルであって、円筒体の周面全周がくびれ部となっている略鼓形状を有する接合ドラム部と、該接合ドラム部の上部つば部から径方向外側に張り出して一方向に延設する把持部とが一体成形された形状を有しているマッサージブラシ用ハンドルを提供することにより、上記目的を達成したものである。
【発明の効果】
【００１２】
本発明のマッサージブラシによれば、押圧突起の動きを改善して、圧迫法、強擦法、揉捏法、軽擦法、打突法等によるマッサージ効果を十分に得ることができる。
【００１３】
また、本発明のマッサージブラシ用ハンドルによれば、マッサージ効果を得るための種々の操作を安定した状態で行うことができる。
【図面の簡単な説明】
【００１４】
【図１】（ａ）は、本発明の好ましい一実施形態に係るマッサージブラシを斜め上方から見た斜視図、（ｂ）は、ブラシ本体部を斜め下方から見た斜視図である。
【図２】本発明の好ましい一実施形態に係るマッサージブラシの、（ａ）は上面（平面）図、（ｂ）は側面図、（ｃ）は下面（底面）図である。
【図３】（ａ）、（ｂ）は、本発明の好ましい一実施形態に係るマッサージブラシを用いたマッサージ方法を説明するイメージ図である。
【図４】中央部押圧突起を頭皮に押し当てた状態のマッサージ方法を説明する部分断面図である。
【図５】（ａ）は、手の指によるマッサージ状況を説明する斜視図、（ｂ）は、本発明の好ましい一実施形態に係るマッサージブラシを用いたマッサージ状況を説明する斜視図である。
【図６】（ａ）〜（ｅ）は、本発明の好ましい一実施形態に係るマッサージブラシを用いてマッサージを行う際の種々の持ちかたを例示する説明図である。
【図７】マッサージブラシ用ハンドルを介して押圧力を負荷することで、ブラシ本体部の中央部押圧突起を頭皮に当接させて押圧する状況を説明する断面図である。
【図８】マッサージブラシ用ハンドルの他の形態を説明する、（ａ）はマッサージブラシを上方から視た斜視図、（ｂ）はマッサージブラシを下方から視た斜視図である。
【図９】（ａ）〜（ｅ）は、他の形態のマッサージブラシ用ハンドルを把持してマッサージを行う際の種々の持ちかたを例示する説明図である。
【図１０】（ａ）、（ｂ）は、ブラシ本体部の他の形態を例示する断面図である。
【図１１】（ａ）〜（ｃ）は、ブラシ本体部の他の形態を例示する下面図である。
【発明を実施するための形態】
【００１５】
本発明の好ましい一実施形態に係るマッサージブラシ１０は、図５（ａ）、（ｂ）に示すように、例えば女性が頭皮に指を押し当てて行う圧迫法や強擦法や揉捏法及び、軽擦法、打突法等による頭部へのマッサージ（図５（ａ）参照）に代えて、本実施形態のマッサージブラシ１０を用いてマッサージを行うことにより（図５（ｂ）参照）、好ましくは髪の毛を直接手で触れることなく、把持部２０を把持して行う簡単な操作によって、指でマッサージを行った場合と同等のマッサージ効果が得られるようにするものである。
【００１６】
そして、本実施形態のマッサージブラシ１０は、図１（ａ）、（ｂ）及び図２（ａ）〜（ｃ）に示すように、基板１２と、基板１２の内側面から下方に突出する複数の押圧突起１３と、基板１３の外側面の中央部分に接続される把持部２０とを備えており、基板１２には、これの中央部分から外側に向けて延設する舌状片１４が、中央部分側の基端部１５を除く周囲にＵ字状の貫通溝１６が設けられることにより基端部１５から片持ち梁状に張り出した状態で、周方向に間隔をおいて複数設けられており、押圧突起１３は、各々の舌状片１４の先端部分から下方に突出して設けられている。
【００１７】
また、本実施形態のマッサージブラシ１０は、基板１２の中央部分の内側面に、下方に突出する中央部押圧突起１７が設けられている。
【００１８】
さらに、本実施形態のマッサージブラシ１０は、前記基板の内側面に、周方向に隣接する押圧突起１３の間に下方に突出する補助押圧突起１８が設けられている。
【００１９】
さらにまた、本実施形態のマッサージブラシ１０は、基板１２が曲面状に湾曲し、基板１２の内側面が凹面状であり、基板１２の平面視形状が円板状であり、基板１２の外側面が凸面状であり、舌状片１４が基板１２の中央部分から放射方向外側に向けて延設している。
【００２０】
すなわち、本実施形態のマッサージブラシ１０は、舌状片１４が形成される基板１２と、押圧突起１３と、中央部押圧突起１７と、補助押圧突起１８とを含んで一体成形されたブラシ本体部１１と、これとは別に成形された、把持部２０と接合ドラム部２１とからなるマッサージブラシ用ハンドル２２とを、例えば曲面状の基板１２の外側面の中央部分から立設させた嵌合突起１２ａ（図７参照）に、把持部２０の下端部に設けた接合ドラム部２１の内部の嵌合穴２１ａを嵌め込むようにして固着することにより、ブラシ本体部１１とマッサージブラシ用ハンドル２２（把持部２０）とが一体となったマッサージブラシ１０が形成される。
【００２１】
ここで、把持部２０と接合ドラム部２１とからなるマッサージブラシ用ハンドル２２は、その合成樹脂材料として、ブラシ本体部１１の材料よりも硬い例えばＡＢＳ（アクリロニトリル・ブタジエン・スチレン共重合体）樹脂、ＰＢＴ（ポリブチレンテレフタレート）樹脂、ＰＰ（ポリプロピレン）樹脂、ＰＥ（ポリエチレン）樹脂、ＰＥＴ（ポリエチレンテレフタレート）樹脂、ＰＣＴＡ（ポリシクロヘキサンジメチレンテレフタレート）樹脂、ＰＯＭ（ポリアセタール）樹脂、アクリル樹脂、ＡＳ（アクリル二トリルスチレン共重合体）樹脂、ＰＳ（ポリスチレン）樹脂等を用いて一体成形されており、ブラシ本体部１１と一体化されて、押圧突起１３や中央部押圧突起１７や補助押圧突起１８を頭皮に押し当てるための押圧力や、頭部を揉み解すための回転力等を、把持部２０からブラシ本体部１１に効率良く伝達できるようになっている。
【００２２】
ブラシ本体部１１を構成する基板１２は、押圧突起１３や中央部押圧突起１７や補助押圧突起１８と共に、弾性率が１０〜３０ＭＰａ程度の相当の弾性力を備える合成樹脂材料として、例えば、エラストマー（スチレン系、ポリエステル系、オレフィン系、ウレタン系など）等を用いて形成される。基板１２は、例えば２〜７ｍｍ程度の厚さを有すると共に、平面形状として直径が例えば４０〜８０ｍｍ程度の円板形状を有しており、また曲率半径が例えば４０〜８０ｍｍ程度の曲率で曲面状（ドーム状）に湾曲した扁平な椀状に形成される。
【００２３】
また、基板１２には、上述のように、外側面の中央部分から立設して嵌合突起１２ａ（図７参照）が設けられると共に、中央部分から放射方向外側に向けて延設する舌状片１４が、周方向に間隔をおいて４５°の等角度ピッチで８箇所に設けられる。すなわち、各舌状片１４は、基板１２の中央部分側の基端部１５を除く周囲に例えば幅０．５〜３ｍｍ程度のＵ字状の貫通溝１６を設けることによって、基端部１５から例えば幅５〜１０ｍｍ程度、長さ１２〜２０ｍｍ程度の先端が丸く形成された片持ち梁状に張り出した状態で、各々形成される。そして、各舌状片１４の先端部分から下方に突出して、押圧突起１３が、当該先端部分に一体成型されて設けられる。
【００２４】
押圧突起１３は、先端に半球形状に形成された押圧部を有する、直径が例えば５〜１０ｍｍ程度の円柱状の突起である。押圧突起１３は、曲面状に湾曲した基板１２の下端開口面から、例えば１２〜２２ｍｍ程度の長さで下方に突出した状態で、当該下端開口面の外周部分に配置されて８箇所に設けられる。
【００２５】
中央部押圧突起１７は、先端に半球形状に形成された押圧部を有する、基板１２との一体化部分である基端部の直径が例えば４〜１０ｍｍ程度の円錐状の突起である。中央部押圧突起１７は、押圧突起１３の長さよりも例えば６〜１２ｍｍ程度短い長さで、好ましくは非使用時に基板１２の下端開口面からはみ出ないように下方に突出した状態で、基板１２の中央部分に配置されて４箇所に設けられる。
【００２６】
補助押圧突起１８は、先端に曲面状に形成された押圧部を有する、基板１２との一体化部分である基端部が例えば長軸の長さが４〜８ｍｍ程度、短軸の長さが２〜５ｍｍ程度の大きさの略長円形状となった、先細り形状の板状の突起である。補助押圧突起１８は、押圧突起１３の長さよりも例えば３〜９ｍｍ程度短い長さで、曲面状に湾曲した基板１２の下端開口面から下方に突出すると共に、周方向に隣接する押圧突起１３の各々の間の部分に配置されて、周方向に隣接する各々の舌状片１４の間の部分から下方に突出して８箇所に設けられる。
【００２７】
上述の構成を備える本実施形態のマッサージブラシ１０を用いて、例えば頭部へのマッサージを行うには、例えば図３（ａ）に示すように、最も長い押圧突起１３のみを頭部に軽く当接させて、回転力を加えることによって、適度な刺激感を伴う揉捏法に相当するマッサージ効果が得られる。この状態でマッサージブラシ１０を頭皮に沿ってスライド移動させれば、軽擦法に相当するマッサージ効果も得られる。
【００２８】
また、図３（ａ）に示す状態から、更に大きな押圧力を加えれば、図３（ｂ）に示すように、押圧突起１３は、片持ち梁状の舌状片１４の先端部分を押し上げるようにしながら、先端の押圧部が頭皮に沿って外側に拡がるように変形するので、図３（ｂ）の押圧状態と図３（ａ）の押圧を解除した状態とを繰り返すことで、掴みや拡げによって頭皮を揉み解すマッサージ効果が得られる。
【００２９】
ここで、図３（ｂ）に示すように押圧突起１３の先端の押圧部が頭皮に沿って外側に拡がる際に、押圧突起１３の一部分は、基板１２の周縁部分１２ａの内側面１２ｂに当接して、その外側への変形が抑制されるので、大きな押圧力が負荷されても過度に変形することなく、所望のマッサージ効果を効率良く得ることが可能になる。押圧突起１３の先端の押圧部が外側に過度に拡がりすぎると、舌状片１４の弾性復元力によるマッサージ効果が低くなってしまう可能性がある。
【００３０】
さらに、図３（ｂ）に示す押圧突起１３の先端の押圧部を頭皮に沿って外側に拡げた状態を保持することにより、舌状片１４の弾性復元力によってつぼ押しや圧迫法に相当するマッサージ効果が得られると共に、この状態でマッサージブラシ１０を頭皮に沿ってスライド移動させれば、強擦法に相当するマッサージ効果も得られる。またこの状態で回転力を加えることによって、揉捏法に相当するマッサージ効果も得られる。
【００３１】
また、頭皮に対して叩くようにして、押圧突起１３を繰り返し当接させることによって、打突法に相当するマッサージ効果も得られる。この場合、押圧突起１３が頭皮に当接する際に、舌状片１４が上方に逃げるため、頭皮に対して適度な刺激を与えることが可能となる。
【００３２】
ここで、ブラシ本体部１１に押圧力を加えて、曲面状に湾曲した基板１２を弾性変形させつつ補助押圧突起１８を頭皮に当接させて押圧させれば、舌状片１４によって支持された押圧突起１３による押圧と、基板１２によって支持された補助押圧突起１８による押圧との相乗作用によって、さらに効果的な圧迫法、強擦法、揉捏法、軽擦法、打突法等によるマッサージ効果を得ることが可能になる。
【００３３】
また、ブラシ本体部１１により大きな押圧力を加えて、図４示すように、基板１２や舌状片１４を弾性変形させつつ中央部押圧突起１７を頭皮に当接させて押圧させれば、指圧やつぼ押しによるマッサージ効果をさらに向上させることが可能になる。
【００３４】
すなわち、本実施形態のマッサージブラシ１０によれば、押圧突起１３や補助押圧突起１８や中央部押圧突起１７の動きを改善して、圧迫法、強擦法、揉捏法、軽擦法、打突法等によるマッサージ効果を十分に得ることが可能になる。
【００３５】
そして、本実施形態では、マッサージブラシ用ハンドル２２は、曲面状に湾曲する円板状の基板１２と、基板１２の凹面状の内側面から下方に突出する複数の押圧突起１３とを含む、弾性力を備える合成樹脂材料からなる上述のブラシ本体部１１に一体接合されてマッサージブラシ１０を形成するハンドル部材であって、図１（ａ）及び図２（ａ）〜（ｃ）に示すように、円筒体の周面全周がくびれ部２３となっている略鼓形状（略ピーナッツの殻形状、つば部を有するリール形状）を有する接合ドラム部２１と、この接合ドラム部２１の上部つば部２４から径方向外側に張り出して一方向に延設する把持部２０とが一体成形された形状を有している。
【００３６】
また、本実施形態では、くびれ部２３は、人の指の周面に沿った湾曲形状として、例えば曲率半径が８〜３０ｍｍ程度の弧状断面を有するように形成されており、また把持部２０は、１８〜４０ｍｍの幅Ｂ、及び８０〜１４０ｍｍの長さＬで上部つば部２４から延設している。
【００３７】
ブラシ本体部１１に一体接合されたマッサージブラシ用ハンドル２２が、上述のような形状及び大きさを有していることにより、マッサージブラシ１０によって頭部へのマッサージを行う際に、図６（ａ）〜（ｅ）に示すように、圧迫法、強擦法、揉捏法、軽擦法、打突法等のマッサージの方法や、マッサージを行なう部位や力加減に応じて、種々の持ちかたから適切な持ちかたを選択することで、マッサージ効果を得るための操作を安定した状態で行って、効率良く且つ効果的にマッサージを行うことが可能になる。
【００３８】
すなわち、例えば掌を把持部２０に添えて把持すると共に、人差し指を接合ドラム部２１の上面に押し付け、親指を把持部２０の側面に押し付けた状態（図６（ａ））でマッサージ操作を行うことにより、軽めの圧迫法や揉捏法等が可能になる。また例えば掌を把持部２０に添えて把持すると共に、親指を把持部２０の天面に押し付けた状態（図６（ｂ））でマッサージ操作を行うことにより、ハンドル２２を滑らずに安定して持つことができ、強擦法等が可能になる。さらに例えば親指の指腹部を接合ドラム部２１のくびれ部２３に押し付けると共に、把持部２０と接合ドラム部２１との接合部分を把持した状態（図６（ｃ））でマッサージ操作を行うことにより、強めの圧迫法や揉捏法等が可能になる。また、例えば把持部２０を強く握りしめた状態（図６（ｄ））でマッサージ操作を行うことにより、腕を大きく上げることなく、打突法等で頭頂部や後頭部をマッサージすることが可能になる。例えばくびれ部２３に人差し指と中指の横腹部を押し付けてこれらの間に接合ドラム部２１を挟み込むと共に、掌をブラシ本体部１１の基板１２の外側面に添えた状態（図６（ｅ））でマッサージ操作を行うことにより、ネイルアートを施している人などの爪の長さに影響されずに掌で包み込むように持つことができ、力を入れて圧迫法、軽擦法や揉捏法等が可能になる。
【００３９】
また、本実施形態では、把持部２０は、上面側から視た際に（平面視した際に）、接合ドラム部２１と近接する部分を幅狭部２０ａとして、これの両側縁部を緩やかな曲線状に窪ませた形状を備えている（図２（ａ）参照）。これによって、把持部２０の把持のし易さを向上させることが可能になる。
【００４０】
さらに、本実施形態では、把持部２０の上面は、延設方向においては曲率半径が１５０〜１０００ｍｍの湾曲凸面となっており（図２（ｂ）参照）、延設方向と直角な横断方向においては曲率半径が２０〜７０ｍｍの湾曲凸面となっている。これらによっても、把持部２０の把持のし易さを向上させることが可能になる。
【００４１】
さらにまた、本実施形態では、接合ドラム部２１には、図７に示すように、下部つば部２５の中心部分に開口する嵌合穴２１ａが設けられており、この嵌合穴２１ａにブラシ本体部１１の基板１２の中央部分から立設する嵌合突起１２ａを嵌め込むことで、マッサージブラシ用ハンドル２２がブラシ本体部１１に一体接合されるようになっている。これによって、マッサージブラシ用ハンドル２２からの押圧力を、下部つば部２５を介して相当の大きさの押圧面積で面的に接触する基板１２の中央部分に、安定した状態で伝えることが可能になり、マッサージ操作をさらに効率良く且つ効果的に行うことが可能になる。なお、図７はマッサージブラシ用ハンドル２２を介して押圧力を負荷することで、ブラシ本体部１１の中央部押圧突起１７を頭皮に当接させて押圧する状況を説明する断面図である。２点鎖線は押圧力を負荷させない場合の断面図、実線は押圧力を負荷させた場合の断面図である。
【００４２】
特に、本実施形態では、下部つば部２５の中心部分に開口する嵌合穴２１ａにブラシ本体部１１の基板１２の中央部分の嵌合突起１２ａを嵌め込み、下部つば部２５が、ブラシ本体部１１の舌状片１４の基端部１５（図１参照）まではみ出すことなく、ブラシ本体部１１の中央部押圧突起１７の直上部分に配置されることが好ましい。これによって、下部つば部２５の径が大きくなり過ぎないようして、基板１２や舌状片１４や押圧突起１３等の弾性変形を下部つば部２５が阻害しないようにできる。また、中央部押圧突起１７が下部つば部２５の直下部分に配置されることで、中央部押圧突起１７には、マッサージブラシ用ハンドル２２からの押圧力が、下部つば部２５を介して伝わり易くなり、中央部押圧突起１７を頭皮に押圧させることによるマッサージ効果を、さらに効率良く得ることが可能になる。
【００４３】
図８（ａ）、（ｂ）は、他の形態のマッサージブラシ用ハンドル２２’を例示するものである。図８（ａ）、（ｂ）に示すマッサージブラシ用ハンドル２２’は、上述のマッサージブラシ用ハンドル２２と同様に、曲面状に湾曲する、平面視して円板状の基板１２と、基板１２の凹面状の内側面から下方に突出する複数の押圧突起１３とを含む、弾性力を備える合成樹脂材料からなる上述のブラシ本体部１１に一体接合されて、マッサージブラシ１０を形成するハンドル部材である。図８（ａ）、（ｂ）に示すマッサージブラシ用ハンドル２２’は、上述のマッサージブラシ用ハンドル２２と略同様の構成を備える他、後述する構成を備えている。
【００４４】
すなわち、図８（ａ）、（ｂ）に示すマッサージブラシ用ハンドル２２’は、円筒体の周面全周がくびれ部２３となっている略鼓形状を有する接合ドラム部２１と、この接合ドラム部２１の上部つば部２４から径方向外側に張り出して一方向に延設する把持部２０とが一体成形された形状を有しており、接合ドラム部２１の天面には、楕円形状に窪んだ天面凹部２６が設けられている。また、上部つば部２４の把持部２０とは径方向の反対側に位置する部分２４ａの張出し量が大きくなっている。さらに、把持部２０の幅狭部２０ａの側面には、滑止め用の線状サイドリブ２７が、間隔をおいて複数設けられている。さらにまた、把持部２０の接合ドラム部２１とは反対側の端部には、係止穴２８が貫通形成されている。
【００４５】
また、把持部２０の背面（下面）には、幅狭部２０ａから係止穴２８が形成された端部まで延設して、浅い円弧状断面の溝による背面凹部２９が設けられている。さらに、把持部２０の幅狭部２０ａの背面（下面）には、両側の滑止め用の線状サイドリブ２７と連続するようにして、滑止め用の線状背面リブ３０が、間隔をおいて複数設けられている。
【００４６】
例えば接合ドラム部２１の天面に天面凹部２６が設けられており、把持部２０の幅狭部２０ａの側面に線状サイドリブ２７が設けられていることにより、例えば図９（ａ）に示すように、掌を把持部２０に添えて把持すると共に、人差し指を接合ドラム部２１の上面の天面凹部２６に押し付け、親指を把持部２０の幅狭部２０ａの側面に押し付けて行うマッサージ操作を、より安定した状態で行うことが可能になる。また、例えば上部つば部２４の把持部２０とは反対側の部分２４ａの張出し量を大きくしたことにより、例えば図９（ｂ）に示すように、親指の指腹部を接合ドラム部２１のくびれ部２３に押し付けると共に、把持部２０と接合ドラム部２１との接合部分を把持して行うマッサージ操作を、より安定した状態で行うことが可能になる。さらに例えば把持部２０の幅狭部２０ａの両側の側面に線状サイドリブ２７が設けられていることにより、例えば図９（ｃ）に示すように、掌を把持部２０の上面に添えて把持すると共に、親指と人差し指との間に幅狭部２０ａの両側の側面を挟み込んで行うマッサージ操作を、より安定した状態で行うことが可能になる。
【００４７】
また、例えば把持部２０の幅狭部２０ａの背面には、滑止め用の線状背面リブ３０が設けられていることにより、例えば図９（ｄ）に示すように、把持部２０の幅狭部２０ａの背面に親指の指腹部を押し付けると共に、把持部２０を把持して行うマッサージ操作を、より安定した状態で行うことが可能になる。さらに例えば把持部２０の幅狭部２０ａの側面に線状サイドリブ２７が設けられており、把持部２０の背面に背面凹部２９が設けられていることにより、例えば図９（ｅ）に示すように、例えば掌を把持部２０の上面に添えると共に、親指を把持部２０の幅狭部２０ａの側面に押し付け、中指から小指を把持部２０の背面に押し付けて行うマッサージ操作を、より安定した状態で行うことが可能になる。
【００４８】
なお、本発明は上記実施形態に限定されることなく種々の変更が可能である。例えば、前記基板は曲面状に湾曲している必要は必ずしもなく、図１０（ａ）のように平板状であったり、図１０（ｂ）のように略等脚台形の断面形状有していてもよい。また、基板の内側面が凹面状であったり、外側面が凸面状であったりする必要は必ずしもない（図１０（ａ））。
【００４９】
また、舌状片は基板の中央部分から放射方向外側に向けて延設される必要は必ずしもなく、図１１（ａ）〜（ｃ）のように、単に基板の中央部分から外側に向けて延設されていて良い。さらに、舌状片は、基板の周方向の全周に亘って複数設けられている必要は必ずしもなく、例えば図１１（ｂ）における基板の長辺に沿った部分にのみ複数設けられていても良い。なお、図１１（ｂ）は基板の上下２つの長辺に沿って２列状で舌状片が設けられているが、一方の長辺に沿って１列で舌状片が設けられていても良い。
【００５０】
また、例えば、中央部押圧突起や補助押圧突起を設ける必要は必ずしもなく、舌状片や押圧突起は、８箇所に限定されることなく、マッサージ効果等を鑑みて、その数を適宜選択して設けることができる。また、補助押圧突起は押圧突起の各々の中間部分に複数個所設けることができる。さらに、基板の縁取り部分等に装飾を施して、美観を向上させることもできる。さらにまた、本発明のマッサージブラシは、頭部に限定されることなく、身体の四肢やその他の部位をマッサージするために用いることもできる。
【００５１】
さらに、本発明のマッサージブラシ用ハンドルは、上記実施形態の構成を有するブラシ本体部に限定されることなく、基板と、該基板の内側面から下方に突出する複数の押圧突起とを含む、弾性力を備える合成樹脂材料からなるその他の種々のブラシ本体部に一体接合して用いることができる。
【符号の説明】
【００５２】
１０  マッサージブラシ
１１  ブラシ本体部
１２  基板
１２ａ  嵌合突起
１３  押圧突起
１４  舌状片
１５  舌状片の基端部
１６  貫通溝
１７  中央部押圧突起
１８  補助押圧突起
２０  把持部
２０ａ  幅狭部
２１  接合ドラム部
２１ａ  嵌合穴
２２，２２’  マッサージブラシ用ハンドル
２３  くびれ部
２４  上部つば部
２５  下部つば部
【図１】
2011083593.tif 000003
【図２】
2011083593.tif 000004
【図３】
2011083593.tif 000005
【図４】
2011083593.tif 000006
【図５】
2011083593.tif 000007
【図６】
2011083593.tif 000008
【図７】
2011083593.tif 000009
【図８】
2011083593.tif 000010
【図９】
2011083593.tif 000011
【図１０】
2011083593.tif 000012
【図１１】
2011083593.tif 000013